(57)【要約】【課題】オブジェクトに提供された電子注釈へのアクセスをセキュア化する方法を提供する。【解決手段】本発明にかかる方法は、オブジェクトに提供された電子注釈へのアクセスをセキュア化する方法であって、複数のメモリタグをオブジェクトに提供するステップと、メモリタグの少なくとも１つに電子注釈を提供するステップと、注釈にアクセスするためにメモリタグにアクセスしなければならない順番を規定するステップとを含む。好ましくは、複数のメモリタグは、所定のパターンでオブジェクトに提供される。また、好ましくは、順番を規定することは、順番中の２番目のメモリタグおよびそれに後続する各メモリタグのアクセスコードを規定するステップを含む。【選択図】図３
2006107496.tif 000002
【特許請求の範囲】
【請求項１】
オブジェクトに提供された電子注釈へのアクセスをセキュア化する方法であって、
複数のメモリタグを前記オブジェクトに提供するステップと、
前記メモリタグの少なくとも１つに電子注釈を提供するステップと、
前記注釈にアクセスするために前記メモリタグにアクセスしなければならない順番を規定するステップと
を含む電子注釈へのアクセスをセキュア化する方法。
【請求項２】
前記複数のメモリタグは、所定のパターンで前記オブジェクトに提供される
請求項１に記載の方法。
【請求項３】
前記順番は、アイテムのユーザが覚えうるアクセスパターンを作り出すように規定される
請求項２に記載の方法。
【請求項４】
前記順番を規定することは、
前記順番中の２番目のメモリタグおよびそれに後続する各メモリタグのアクセスコードを規定するステップ
を含む請求項１に記載の方法。
【請求項５】
最初の順番のメモリタグのアクセスコードを規定すること
をさらに含む請求項４に記載の方法。
【請求項６】
ｎ番目の順番の各メモリタグのアクセスコードは、ｎ−１番目のメモリタグに提供される
請求項４に記載の方法。
【請求項７】
前記順番を規定するステップは、
前記２番目のメモリタグおよびｎ−１番目のメモリタグまでの前記順番中の後続する各メモリタグを、コードを受信して規定のアクセスコードと比較し、一致する場合に次の順番のメモリタグのアクセスコードを出力するように構成することであって、ｎは前記順番中のメモリタグの総数であること
を含む
請求項６に記載の方法。
【請求項８】
前記順番を規定するステップは、
前記２番目のメモリタグおよび後続する各メモリタグを、前記受信したコードと規定のアクセスコードが一致しない場合には正しくないアクセスコードを出力するように構成すること
を含む
請求項７に記載の方法。
【請求項９】
前記最初の順番のメモリタグは、有効にアクセスされると前記２番目の順番のメモリタグに規定されたアクセスコードを出力するように構成される
請求項４に記載の方法。
【請求項１０】
前記オブジェクトに、前記規定の順番の一部ではない１つまたは複数のメモリタグを提供するステップ
を含む請求項２に記載の方法。
【請求項１１】
前記規定の順番の一部ではない１つまたは複数のメモリタグには、それぞれ、アクセスされたときに出力されるコードが提供される
請求項１０に記載の方法。
【請求項１２】
前記注釈は、最後の順番のメモリタグに提供される
請求項１に記載の方法。
【請求項１３】
前記注釈は順番中の２つ以上のメモリタグに提供される
請求項１に記載の方法。
【請求項１４】
前記注釈が記憶されるメモリタグを、有効なアクセスコードを受信したときにその注釈を出力するように構成するステップ
を含む請求項１２に記載の方法。
【請求項１５】
前記最後の順番のメモリタグに、前記順番中のすべてのメモリタグにアクセスできるようにするマスタアクセスコードを提供するステップと、
前記最後の順番のメモリタグを、有効なアクセスコードを受信したときにそのマスタアクセスコードを出力するように構成するステップと
を含む請求項１３に記載の方法。
【請求項１６】
前記電子注釈が記憶される各メモリタグを、前記マスタアクセスコードを受信すると前記電子注釈を出力するように構成するステップ
をさらに含む請求項１５に記載の方法。
【請求項１７】
前記順番を規定するステップは、
提供される前記メモリタグの少なくとも１つに繰り返しアクセスすることを規定することと、
そのメモリタグに次の順番の各メモリタグのアクセスコードを提供することと
を含む
請求項４に記載の方法。
【請求項１８】
前記少なくとも１つのメモリタグを、前記順番およびそのタグのアクセス数に従って出力する正しいアクセスコードを判断するように構成するステップ
を含む請求項１７に記載の方法。
【請求項１９】
記載のオブジェクトであって、
前記オブジェクト上または前記オブジェクト内に配置され、１つ以上には電子注釈が記憶されている複数のメモリタグ
を備え、
前記メモリタグは、前記電子注釈へのアクセスが、前記順番中の前記メモリタグに所定の順番でアクセスした場合にのみ実現することができる順番を有する
オブジェクト。
【請求項２０】
前記複数のメモリタグは、前記オブジェクト上に所定のパターンで配置される
請求項１９に記載の記載のオブジェクト。
【請求項２１】
前記順番は、ユーザが覚えることのできるアクセスパターンを前記オブジェクト上に作り出すように規定される
請求項１９に記載の記載のオブジェクト。
【請求項２２】
２番目および後続する順番の各メモリタグへのアクセスは、アクセスコードによって保護される
請求項１９に記載の記載のオブジェクト。
【請求項２３】
最初の順番のメモリタグへのアクセスは、アクセスコードによって保護される
請求項１９に記載の記載のオブジェクト。
【請求項２４】
ｎ−１番目の順番の各メモリタグには、ｎ番目の順番の各メモリタグのアクセスコードが記憶される
請求項２２に記載の記載のオブジェクト。
【請求項２５】
前記２番目のメモリタグおよびｎ−１番目（ｎは前記順番中のメモリタグの総数）のメモリタグまでの前記順番中の後続する各メモリタグは、コードを受信して、そのメモリタグのアクセスコードと比較し、一致する場合に次の順番のメモリタグのアクセスコードを出力するように構成されている
請求項２４に記載の記載のオブジェクト。
【請求項２６】
前記２番目のメモリタグおよび後続する各メモリタグは、前記受信したコードとそのタグのアクセスコードが一致しない場合には、正しくないアクセスコードを出力するように構成される
請求項２５に記載の記載のオブジェクト。
【請求項２７】
前記最初の順番のメモリタグのプロセッサは、有効にアクセスされると前記２番目の順番のメモリタグの前記アクセスコードを出力するように構成される
請求項２２に記載の記載のオブジェクト。
【請求項２８】
前記オブジェクト上または前記オブジェクト内に配置された、前記順番の一部ではない１つまたは複数のメモリタグ
をｓらに含む請求項１９に記載の記載のオブジェクト。
【請求項２９】
前記順番の一部ではない各メモリタグには、そのメモリタグにアクセスしたときに出力されるコードが記憶される
請求項２８に記載の記載のオブジェクト。
【請求項３０】
前記注釈は、最後の順番のメモリタグに記憶される
請求項１９に記載の記載のオブジェクト。
【請求項３１】
前記注釈は、順番中の２つ以上のメモリタグに記憶される
請求項１９に記載の記載のオブジェクト。
【請求項３２】
前記注釈が記憶されるメモリタグのプロセッサは、有効なアクセスコードを受信したときに、前記注釈を出力するように構成される
請求項３０に記載の記載のオブジェクト。
【請求項３３】
前記最後の順番のメモリタグに、前記順番中のすべてのメモリタグにアクセスできるようにするマスタアクセスコードが記憶され、そのメモリタグの前記プロセッサは、有効なアクセスコードを受信したときに前記マスタコードを出力するように構成される
請求項３２に記載の記載のオブジェクト。
【請求項３４】
前記注釈が記憶される各メモリタグのプロセッサは、前記マスタコードを受信すると前記注釈を出力するように構成される
請求項３３に記載の記載のオブジェクト。
【請求項３５】
前記順番は、
前記メモリタグの少なくとも１つに繰り返しアクセスすること
を含み、
そのメモリタグには、次の順番の各メモリタグのアクセスコードが記憶されている
請求項１９に記載の記載のオブジェクト。
【請求項３６】
前記メモリタグは、そのメモリタグの順番およびアクセス数に基づいて出力に適したアクセスコードを選択するように構成される
請求項３５に記載の記載のオブジェクト。
【請求項３７】
前記オブジェクトは、文書である
請求項１９に記載の記載のオブジェクト。
【請求項３８】
前記各メモリタグはおよそ２ｍｍ２である
請求項１９に記載の記載のオブジェクト。
【請求項３９】
前記各メモリタグは、実質的に少なくとも１Ｍビットの記憶容量を有する
請求項１９に記載の記載のオブジェクト。
【請求項４０】
前記各メモリタグは、リーダ装置でアクセス可能な範囲を有する
請求項１９に記載の記載のオブジェクト。
【請求項４１】
前記範囲は、実質的に３〜４ｍｍである
請求項４０に記載の記載のオブジェクト。
【請求項４２】
前記範囲は、実質的に１．５ｍｍである
請求項４０に記載のオブジェクト。
【請求項４３】
オブジェクトに与えられ、セキュア化された電子注釈にアクセスする方法であって、
ａ）メモリタグリーダを使用して、前記オブジェクト上の規定の順番のメモリタグ中の最初の順番のメモリタグから次の順番のメモリタグのアクセスコードを読み取るステップと、
ｂ）前記アクセスコードを前記次の順番のメモリタグに与えるステップと、
ｃ）そのメモリタグから前記次の順番のメモリタグのアクセスコードを読み取るステップと、
ｄ）ｎ−１番目のメモリタグまでの順番中のすべてのメモリタグに対してステップｂ）およびステップｃ）を繰り返すステップであって、ｎは前記順番中のタグの総数である、繰り返すステップと、
ｅ）前記アクセスコードを前記ｎ番目の順番のタグに与えるステップと、
ｆ）前記順番内の前記メモリタグの少なくとも１つから前記注釈を読み取るステップと
を含む方法。
【請求項４４】
前記アクセスコードを与えるステップは、
前記リーダをメモリタグに近接して配置し、前記リーダで前記メモリタグに給電し、前記メモリタグに前記アクセスコードを提供すること
を含む
請求項４３に記載の方法。
【請求項４５】
前記ステップａ）、ｃ）またはｄ）において、前記順番の中にないメモリタグが読み取られる場合、または、メモリタグが順番通りに読み取られない場合、前記メモリタグから、前記順番中のメモリタグにアクセスしないアクセスコードを読み取る
請求項４３に記載の方法。
【請求項４６】
アクセスコードが与えられたメモリタグにおいて、前記与えられたアクセスコードを前記メモリタグに記憶されている有効なコードと比較し、一致する場合に、前記メモリタグからの読み取りを可能にするステップ
をさらに含む請求項４３に記載の方法。
【請求項４７】
アクセスコードが与えられたメモリタグにおいて、前記与えられたアクセスコードを前記メモリタグに記憶されている有効なコードと比較し、それらが一致しない場合、正しくないアクセスコードを出力として提供し、そのタグに対して、ステップｆ）を阻止するステップを
さらに含む請求項４３に記載の方法。
【請求項４８】
前記注釈は、最後の順番のメモリタグに記憶され、前記ステップｅ）の後に前記ステップｆ）が行われる
請求項４３に記載の方法。
【請求項４９】
前記注釈は、前記順番中の２つ以上のメモリタグに記憶され、
前記ステップｆ）は、非最終メモリタグのそれぞれから前記アクセスコードを読み取るステップとともに行われる
請求項４３に記載の方法。
【請求項５０】
前記ステップｆ）は、
ｉ）前記ｎ番目の順番のメモリタグから、前記順番中のすべてのメモリタグにアクセスできるようにするマスタコードを読み取るステップと、
ｉｉ）注釈データを含む各メモリタグに前記リーダを近接させるステップと、
ｉｉｉ）前記ステップｉｉ）で述べた各メモリタグに前記マスタコードを提供するステップと、
ｉｖ）前記各タグから前記注釈データを読み取るステップと
を含む請求項４３に記載の方法。
【請求項５１】
前記マスタコードが提供された前記各メモリタグにおいて、前記受信したマスタコードを前記メモリタグに記憶されている有効なマスタコードと比較するステップが行われ、
前記コードが一致する場合に前記注釈が出力される
請求項５０に記載の方法。
【発明の詳細な説明】
【技術分野】
【０００１】
本発明は、電子データを使用してアイテム、限定はしないが特に文書に注釈を付けることに関する。
特に、本発明は、電子データへのアクセスをセキュア化する方法および装置に関する。
【背景技術】
【０００２】
無線周波数識別（ＲＦＩＤ）タグの形のメモリタグが従来技術において既知である。
ＲＦＩＤタグは多くの形で出回っているが、すべて、使用に際してデータを記憶することができる集積回路、および誘電（無線）リンクにより給電も行うリーダが集積回路に呼び掛けられるようにするコイルを備えている。
一般に、ＲＦＩＤタグは、動作周波数（１３．５６ＭＨｚ）および必要なコイルのサイズによりかなり大きく、広い範囲にわたって動作するとともに、非常に小さな記憶容量を有する。
様々な周波数で動作するより小型のＲＦＩＤタグも開発されているが、依然として記憶容量は小さい。
ＲＦＩＤタグによっては、読み取り専用メモリ（ＲＯＭ）を備え、製造時に書き込みが行われるものもあれば、読み書き機能を有するものもある。
ＲＦＩＤタグは、オフィス内のファイルトラッキングのため、または製品識別およびサプライチェーンマネジメントのためにバーコードに代えて、またはバーコードに加えて等、かなり単純な用途で使用される傾向があった。
【０００３】
係るＲＦＩＤタグを使用することができる一用法は、文書等のアイテムをデータで覆い、またその上にプリントて注釈付けすることである。
たとえば、欧州特許第１０７６３１６  Ａ２号において、Eastman Kodak Companyは、従来の形のＲＦＩＤタグを、おそらく写真である被印刷物上の出力画像である印刷物に固定して使用することを記載している。
印刷物上のＲＦＩＤタグに記憶されると予想されるデータの種類は、特に印刷物が防水加工システムからの出力シートである場合の印刷物の処理様式に関連する。
いずれの場合でも、与えられるデータ例は８ビット〜２５６ビットの範囲を有する。
たとえば、単一の印刷物を係る印刷物のファイルの中から見つける必要がある場合等、印刷物と通信するために使用される送受信器の範囲内で複数の印刷物と通信する技法が記載されている。
【０００４】
英国特許第２３９５５９２号には、電子データを文書等のオブジェクトに注釈付けることが開示されている。
この特許では、１つまたは複数のメモリタグが注釈付けの対象であるオブジェクト内またはその上に配置される。
【特許文献１】欧州特許第１０７６３１６  Ａ２号
【特許文献２】英国特許第２３９５５９２号
【発明の開示】
【発明が解決しようとする課題】
【０００５】
係る注釈付けの大きな欠点は、メモリタグに記憶されるデータにリーダでアクセスできてしまい、リーダがタグに起電力を与えて記憶されている情報を出力させてしまうことである。
これは、記憶されているデータの扱いに慎重さが求められる、または機密性がある場合に特に望ましくない。
係るデータの一例は、患者の医療カードに注釈付けられるその患者の医療詳細である。
リーダにアクセスすることができる人物が誰であれ、アクセスする権限を受けているか否かに関わらずリーダをメモリタグに近づけることでこの情報にアクセスできてしまうことには問題がある。
したがって、アイテムの注釈付けに使用されるメモリタグへのアクセスをセキュア化することが望ましい。
【０００６】
現在、セキュリティは、メモリタグとリーダの間での双方向交換にセキュリティ対策を施すことによって提供することができる。
たとえば、リーダの使用に先立ち、リーダの起動にパスワードまたはコードの入力を求めることができる。
しかし、妥当な水準のセキュリティを確保するには、パスワードまたはコードは、試行錯誤で簡単に突き止められてしまわないような十分な長さまたは複雑さのものでなければならない。
これは、所与のパスワードまたはコードを覚えていることが難しい場合があるという点でリーダのユーザに問題を呈する。
たとえば、コンピュータネットワークパスワード並びに銀行および／またはクレジットカードの個人識別番号を含め、人々はセキュリティを目的として多くのパスワードおよびコードを覚えることが求められる（以下、「ＡおよびＢまたはこれらのいずれか」は、「Ａおよび／またはＢ」と記載されることがある）。
パスワードまたはコードが長いほど、かつ／または番号を変更しなければならないパスワードまたはコードが多いほど、ユーザが必要なパスワードまたはコードを思い出せなくなる可能性が高くなる。
この結果、多くの場合、ユーザが備忘録としてコードを書き留めることになる。
係る備忘録は第三者に見られる／盗られる可能性があり、それによりセキュリティ侵害の元凶になる可能性がある。
【課題を解決するための手段】
【０００７】
本発明は、上記の問題を軽減しようとするものであり、オブジェクトに提供された電子注釈へのアクセスをセキュア化する方法を提供し、本方法は、複数のメモリタグをオブジェクトに提供するステップと、メモリタグの少なくとも１つに電子注釈を提供するステップと、注釈にアクセスするためにメモリタグにアクセスしなければならない順番を規定するステップと、を含む。
【０００８】
好ましくは、複数のメモリタグは所定のパターンでオブジェクトに提供される。
より好ましくは、順番は、アイテムのユーザが覚えることのできるアクセスパターンを作り出すように規定される。
【０００９】
好ましい実施形態において、順番を規定することは、順番中の２番目のメモリタグおよびそれに後続する各メモリタグのアクセスコードを規定するステップを含む。
本実施形態はまた、最初の順番のメモリタグのアクセスコードを規定することも含む。
さらにより好ましくは、ｎ番目の順番の各メモリタグのアクセスコードはｎ−１番目のメモリタグに提供される。
【００１０】
順番を規定するステップは、２番目のメモリタグおよびｎ−１番目のメモリタグまでの順番中の後続する各メモリタグを、コードを受信し、そのコードを規定のアクセスコードと比較し、一致する場合に次の順番のメモリタグのアクセスコードを出力するように構成することを含んでもよく、ただし、ｎは順番中のメモリタグの総数である。
好ましくは、順番を規定するステップはまた、２番目のメモリタグおよび後続する各メモリタグを、受信したコードと規定のアクセスコードが一致しない場合にはランダムコード等の正しくないアクセスコードを出力するように構成することも含む。
より好ましくは、最初の順番のメモリタグは、有効にアクセスされると２番目の順番のメモリタグに規定されたアクセスコードを出力するように構成される。
【００１１】
別の好ましい実施形態において、本方法は、オブジェクトに、規定の順番の一部ではない１つまたは複数のメモリタグを提供するステップを含む。
規定の順番の一部ではない１つまたは複数のメモリタグにはそれぞれ、アクセスされたときに出力されるランダムコード等のコードが提供されてもよい。
【００１２】
提供される注釈は最後の順番のメモリタグに提供されることが好ましい。
代替的に、注釈は順番中の２つ以上のメモリタグに提供されてもよい。
好ましくは、注釈が記憶されるメモリタグを、有効なアクセスコードを受信したときにその注釈を出力するように構成する。
より好ましくは、最後の順番のメモリタグに、順番中のすべてのメモリタグにアクセスできるようにするマスタアクセスコードを提供してもよく、最後の順番のメモリタグを、有効なアクセスコードを受信したときにそのマスタアクセスコードを出力するように構成してもよい。
その場合、電子注釈が記憶される各メモリタグを、マスタコードを受信すると電子注釈を出力するように構成する。
【００１３】
好ましい実施形態において、順番を規定するステップは、提供されるメモリタグの少なくとも１つに繰り返しアクセス（visit）することを規定すること、およびそのメモリタグに次の順番の各メモリタグのアクセスコードを提供すること、を含む。
好ましくは、少なくとも１つのメモリタグを、順番およびそのタグのアクセス数に従って出力する正しいアクセスコードを判断するように構成する。
【００１４】
また、本発明によれば、注釈アクセスセキュリティを有する電子注釈付きオブジェクトが提供され、本オブジェクトは、オブジェクト上または内に配置された複数のメモリタグであって、少なくとも１つには電子注釈が記憶されている、複数のメモリタグを備え、メモリタグは、電子注釈へのアクセスが、順番中のメモリタグに所定の順番でアクセスした場合のみ実現することができるような順番を有する。
【００１５】
好ましくは、複数のメモリタグはオブジェクト上に所定のパターンで配置される。
より好ましくは、順番は、ユーザが覚えることのできるアクセスパターンをオブジェクト上に作り出すように規定される。
【００１６】
好ましい実施形態において、２番目および後続する順番の各メモリタグへのアクセスは、アクセスコードによって保護される。
１番目の順番のメモリタグへのアクセスもまた、アクセスコードによって保護されてもよい。
好ましくは、ｎ−１番目の順番の各メモリタグには、ｎ番目の順番の各メモリタグのアクセスコードが記憶される。
より好ましくは、２番目のメモリタグおよびｎ−１番目のメモリタグまでの順番中の後続する各メモリタグのプロセッサは、コードを受信し、そのコードをそのメモリタグの規定のアクセスコードと比較するように構成され、かつ、一致する場合に次の順番のメモリタグのアクセスコードを出力するように構成され、ただし、ｎは順番中のメモリタグの総数である。
さらにより好ましくは、２番目のメモリタグおよび後続する各メモリタグのプロセッサは、受信したコードとそのタグのアクセスコードが一致しない場合にはランダムコード等の正しくないアクセスコードを出力するように構成される。
好ましくは、最初の順番のメモリタグのプロセッサは、有効にアクセスされると２番目の順番のメモリタグのアクセスコードを出力するように構成される。
【００１７】
さらなる好ましい実施形態において、順番の一部ではない１つまたは複数のメモリタグは、オブジェクト上または内に配置される。
好ましくは、順番の一部ではない各メモリタグには、そのメモリタグにアクセスしたときに出力されるランダムコード等のコードが記憶される。
【００１８】
好ましい実施形態において、注釈は最後の順番のメモリタグに記憶される。
代替的に、注釈は最後の順番のメモリタグに記憶される。
いずれの場合にも、注釈が記憶されるメモリタグのプロセッサは、有効なアクセスコードを受信したときにその注釈を出力するように構成されることが好ましい。
より好ましくは、最後の順番のメモリタグに、順番中のすべてのメモリタグにアクセスできるようにするマスタアクセスコードが記憶され、そのメモリタグのプロセッサは、有効なアクセスコードを受信したときにマスタコードを出力するように構成される。
好ましくは、注釈が記憶される各メモリタグのプロセッサは、マスタコードを受信すると注釈を出力するように構成される。
【００１９】
さらなる好ましい実施形態において、メモリタグの少なくとも１つに繰り返しアクセスすることを含み、そのメモリタグには、次の順番の各メモリタグのアクセスコードが記憶されている。
好ましくは、メモリタグは、そのメモリタグの順番およびアクセス数に基づいて出力に適したアクセスコードを選択するように構成される。
【００２０】
好ましい実施形態では、オブジェクトは文書である。
勿論、オブジェクトは他のいずれのオブジェクトであってもよい。
【００２１】
好ましくは、各メモリタグはおよそ２ｍｍ２である。
好ましくは、各メモリタグは、少なくともおよそ１Ｍビットの記憶容量を有する。
好ましくは、各メモリタグは、リーダ装置でアクセス可能な範囲を有する。
範囲はおよそ３〜４ｍｍであることが好ましい。
より好ましくは、範囲はおよそ１．５ｍｍである。
【００２２】
また、本発明によれば、オブジェクトに与えられ、セキュア化された電子注釈にアクセスする方法が提供され、本方法は、ａ）メモリタグリーダを使用して、オブジェクト上の規定の順番のメモリタグの中の最初の順番のメモリタグから次の順番のメモリタグのアクセスコードを読み取るステップと、ｂ）アクセスコードを次の順番のメモリタグに与えるステップと、ｃ）そのメモリタグから次の順番のメモリタグのアクセスコードを読み取るステップと、ｄ）ｎ−１番目のメモリタグまで順番中のすべてのメモリタグに対してステップｂ）およびステップｃ）を繰り返すステップであって、ｎは順番中のタグの総数である、繰り返すステップと、ｅ）アクセスコードをｎ番目の順番のタグに与えるステップと、ｆ）順番内のメモリタグの少なくとも１つから注釈を読み取るステップと、を含む。
【００２３】
好ましくは、アクセスコードを与えるステップは、リーダをメモリタグに近接して配置し、リーダでメモリタグに給電し、メモリタグにアクセスコードを提供することを含む。
【００２４】
好ましい実施形態において、ステップａ）、ｃ）、またはｄ）において順番の中にないメモリタグが読み取られる場合、またはメモリタグが順番通りに読み取られない場合、リーダは、メモリタグから、順番中のメモリタグにアクセスしないアクセスコードを読み取る。
１例としてランダムコードがある。
好ましくは、本方法は、アクセスコードが与えられたメモリタグにおいて、与えられたアクセスコードをメモリタグに記憶されている有効なコードと比較し、一致する場合にメモリタグからの読み取りを可能にするステップをさらに含む。
より好ましくは、本方法はまた、アクセスコードが与えられたメモリタグにおいて、与えられたアクセスコードをメモリタグに記憶されている有効なコードと比較し、それらが一致しない場合、ランダムコード等の正しくないアクセスコードを出力として提供し、そのタグに対してステップｆ）を阻止するステップをさらに含む。
【００２５】
さらなる好ましい実施形態において、注釈は最後の順番のメモリタグに記憶され、ステップｅ）の後にステップｆ）が行われる。
さらに別の好ましい実施形態において、注釈は順番中の２つ以上のメモリタグに記憶され、ステップｆ）は、非最終メモリタグのそれぞれからアクセスコードを読み取るステップとともに行われる。
さらに別の好ましい実施形態において、ステップｆ）は、ｉ）ｎ番目の順番のメモリタグから、順番中のすべてのメモリタグにアクセスできるようにするマスタコードを読み取るステップと、ｉｉ）注釈データを含む各メモリタグにリーダを近接させるステップと、ｉｉｉ）ステップｉｉ）で述べた各メモリタグにマスタコードを提供するステップと、ｉｖ）各タグから注釈データを読み取るステップと、を含む。
好ましくは、マスタコードが提供された各メモリタグにおいて、受信したマスタコードをメモリタグに記憶されている有効なマスタコードと比較するステップが行われ、コードが一致する場合に注釈が出力される。
【００２６】
本発明の特定の実施形態について、添付図面を参照しつつ例としてのみこれより説明する。
【発明を実施するための最良の形態】
【００２７】
図１をまず参照して、本発明において具現することができるメモリタグ１００およびリーダ１０２の基本動作について説明する。
メモリタグ１００は、アンテナコイルＬ１、およびアンテナコイルＬ１に並列接続されて共振回路を形成するコンデンサＣ１を備える。
メモリタグ１００は、メモリＭおよび処理・電力回路Ｐ１をさらに備える。
リーダ１０２は、アンテナコイルＬ２、アンテナコイルＬ２と並列になって共振回路を形成するコンデンサＣ２、および処理・信号発生回路Ｐ２を備える。
【００２８】
処理・信号発生回路Ｐ２内の信号発生器が、２．４５ＧＨｚ等、タグ１００の選択された動作周波数で信号を発生し、この信号がアンテナコイルＬ２に与えられて電磁界が発生し、この電磁界は、メモリタグ１００がリーダ１０２の十分近くにある場合にメモリタグ１００のアンテナコイルＬ１に侵入する。
したがって、誘電によりアンテナコイルＬ１に電圧が発生し、この電圧が回路Ｐ１において整流され、メモリタグ１００の給電に使用される。
コンデンサＣ１およびＣ２の静電容量は、共振回路が両方とも、信号発生器により発生する周波数で共振するように選択され、それによって送信信号および受信信号の強度が最大になる。
【００２９】
メモリタグ１００に記憶されているデータをリーダ１０２で読み取る場合、リーダ１０２をタグ１００の近傍に持っていき、これにより上述のようにタグ１００に給電する。
回路Ｐ１は、メモリに記憶されているデータを表す信号をアンテナコイルＬ１に与え、この信号を電磁誘導によりアンテナコイルＬ２で検出し、回路Ｐ２において解読した後、リーダ１０２から読み取り装置のメインプロセッサに渡す。
この信号は、たとえば、負荷変調を用いて伝送することができる。
このようなＲＦＩＤシステムでは、メモリタグ１００の消費電力は、リーダ１０２のアンテナコイルＬ２の内部抵抗間の電圧降下として測定することができる。
回路Ｐ１内の負荷抵抗はオン／オフに切り替えることができ、これによってメモリタグ１００の消費電力を変更させ、この変更を、リーダ１０２のアンテナコイルＬ２にかかる電圧の振幅変調として検出する。
【００３０】
本発明に好適に採用されるメモリタグの主要な特徴は、そのサイズである。
各メモリタグは、好ましくは、およそ２ｍｍ２のサイズであり、およそ１Ｍビット以上の容量を有する。
メモリ素子への入出力は近距離結合を介して行われる。
ここで、近距離はおよそ３〜４ｍｍ以下、より好ましくは１．５ｍｍを意味する。
【００３１】
勿論、他の寸法、容量、および範囲を有するメモリタグも本発明において同等に使用することができ、ＲＦ周波数帯域外で動作するタグも同様である。
しかし、明らかになるように、係るメモリタグは近距離結合を介して動作する必要がある。
ただし、近距離はタグを使用して注釈を付けるオブジェクトのサイズに相対する。
結合が発生する範囲は、複数のタグを、各タグの結合領域の重複を防ぐ配置で注釈付けの対象オブジェクトに配置することができるようなものでなければならない。
【００３２】
オブジェクトに与える注釈データをすでに記憶したメモリタグをそのオブジェクト上に配置することができる。
別法として、メモリタグをオブジェクトに貼り付けてから、メモリタグに注釈データを書き込むこともできる。
さらに、メモリタグはオブジェクト上に配置してもよく、またはオブジェクトに組み込んでもよい。
たとえば、インクジェットプリンタ等のプリント装置に、印字媒体にメモリタグを配置するモジュールを組み込むことができる。
このモジュールは、印字媒体全体にわたって走査してメモリタグを媒体上のどこにでも配置することができるように位置決めすることができる。
勿論、他の種類のプリント装置を使用することもできる。
インクまたは着色材の塗布に関するプリント装置の正確性をこうしてメモリタグの配置にも活かすことができ、また、印字媒体上のそれぞれの位置を正確に定めることを保証する。
係るプリント装置はリーダを備え、メモリタグに書き込むこともできる。
【００３３】
図１のメモリタグ１００に、リーダ１０２を使用してデータを書き込むこともできるため、リーダ１０２は書き込み装置にもなり得る。
データを書き込み装置１０２によりメモリタグ１００に書き込む場合、回路Ｐ２内で発生する無線周波信号が、書き込むべきデータで変調、たとえば振幅変調されてから、アンテナコイルＬ２に印加されて送信される。
したがって、誘電結合によりメモリタグ１００が受信する信号は、メモリタグ１００に給電するとともに、メモリタグ１００と通信する。
回路Ｐ１は搬送信号からデータ信号を切り離し、データを記憶するためにメモリＭに渡す。
【００３４】
すでに述べたように、文書等のオブジェクトの注釈付けに使用される電子データが取り扱いに慎重さが求められる、または機密性を有するものであり、この電子データへのアクセスのセキュア化に努める必要がある状況がある。
本発明によれば、或る水準のセキュリティを電子データで注釈付けられるオブジェクトに付与するために、複数のメモリタグをそのオブジェクトに選択されたパターンで導入する。
パターンは一様であってもなくてもよい。
パターンはオブジェクトのユーザが指定することができる。
特に、電子データへのアクセスが許可されている人物（複数可）が認識可能であり、好ましくは覚えることができるパターンである。
上述したように、タグはオブジェクト上に配置してもよく、またはオブジェクトに組み込んでもよい。
【００３５】
図２ａに、複数のメモリタグ１００を規定のパターンで配置した印字媒体シート２００を示す。
印字媒体は、用紙、カードストック、フィルム等を含め、任意の適切な形の媒体であればよい。
点線の円２０２は、各メモリタグの給電に求められるリーダ１０２の近接範囲を示す。
この厳密な位置決めおよびリーダのタグを読み取る能力は、近接範囲にあるときにのみ利用することができ、それによってタグ（複数可）に記憶されているデータへのアクセスをエンコードする。
【００３６】
パターン内の各メモリには順番を有する位置が割り当てられる。
順番は、ユーザが覚えることができるものであるように規定される。
１つまたは複数のタグに記憶することができる電子データへのアクセスは、リーダ１０２をメモリタグ上に正しい順序でかざすことで得られる。
順番の一例を図２ｂに示す。
この順番では、リーダ１０２が図示の媒体シートの左上角にあるメモリタグ１００ａと通信することから開始する。
その後、リーダは図示のその他のタグ１００ｂ〜１００ｉのそれぞれと、繋がった矢印で示す順番で通信する。
【００３７】
図３に、たとえば、図２ａおよび図２ｂの文書２００等、オブジェクト上のメモリタグ１００に記憶されている電子データにアクセスするために行われるステップを示す。
データは複数のタグ１００に断片化して記憶しても、またはすべてを、最後の順番のタグ１００等、１つのタグ１００のみに記憶してもよい。
【００３８】
順番中の各タグ１００は、呼び掛けおよび応答フィールドを含み、タグ１００内のプロセッサＰ１は、これより説明するように、受信した呼び掛け、すなわち、提供されたアクセスコードを期待するアクセスコード、すなわち呼び掛けフィールドに記憶されているコードと比較し、それに従って応答するように構成される。
【００３９】
ステップ３０２において、リーダ１０２を最初の順番のメモリタグ１００に近接させる。
これは、注釈にアクセスするパターンおよび正しい順番を知っているリーダ／注釈付きオブジェクトのユーザによって行われる。
リーダは、最初のタグに十分に近接すると、すでに述べたようにしてタグに給電することになる（ステップ３０２）。
したがって、ユーザはリーダ１０２を正確に位置決めしなければならない。
第１の実施形態では、最初のタグは、読み取られるときに有効な応答を提供するように構成される（ステップ３０４）。
この場合、呼び掛けフィールドがないか、またはそのフィールドは空である。
しかし、最初のメモリタグの応答フィールドには、２番目の順番のタグ１００のための有効なアクセスコードが記憶されている。
リーダ１０２はこのコードを読み取る。
代替の実施形態では、最初のタグ１００を読み取るために、リーダは最初のタグ１００にアクセスコード、たとえば１２３４を送信する。
最初のタグ１００は、受け取るコードが何であれ有効な応答を提供するように構成される。
【００４０】
これは、追加のセキュリティ機構である。
アクセス要求に応答して有効なコードが提供されない場合、許可を受けずにアクセスしようとしている人物は、非常に短い時間中に多数回、その都度異なるコードでタグ１００に応答確認（ｐｉｎｇ）する可能性がある。
応答は何分の１秒か（１／１０００秒等）以内であると予想される。
したがって、応答を受信しない場合には、別の組み合わせが非常に素早く試行される恐れがある。
これは、有効な応答を最初の順番のタグの出力として提供することで回避される。
別法として、リセットボタンをリーダに提供することができ、さらなる試行を行うには、タグからの応答をもたらさなかった各アクセスコード試行後にリセットボタンを押下しなければならない。
【００４１】
最初のタグ１００がリーダに近接に応答してコードを出力すると、リーダ１０２は次の順番のタグの近接に移される（ステップ３０８）。
ここでも、ユーザはオブジェクト上のタグのパターン、および記憶されている情報へのアクセスを得るためにリーダ１０２をかざさなければならない順番を知っている。
手短に図２ｂを参照すると、リーダはタグ１００ａから１００ｂに移される。
リーダは２番目のタグ１００ｂを給電させ（ステップ３１０）、そうしてタグを読み取る（ステップ３１２）。
【００４２】
２番目のタグ１００ｂを読み取るために、リーダはタグ１００ｂに最初のタグ１００ａから読み取ったアクセスコードを提供する。
２番目のタグ内のプロセッサＰ１は、このコードを、呼び掛けフィールドに記憶されている受信を期待するコードと比較する。
このコードが一致する場合、応答フィールド内の応答がリーダ１０２に提供される。
この応答は、次の順番のタグ、たとえばタグ１００ｃ用のアクセスコードである。
しかし、受信したコードが呼び掛けフィールド内のコードと一致しない場合、プロセッサはメモリタグ１００ｂにランダムコード等の誤ったコードをリーダに提供させる。
１つ前にアクセスしたタグ１００が規定の順番のものではなかった場合、正しくないコードを受信することになる。
【００４３】
第１の実施形態では、最初のタグ１００ａが単に給電され、コードを提供する場合、正しくないコードが２番目のタグ１００ｂに提供されることはない。
しかし、最初のタグ１００ａの後に１００ｇ等の正しくないタグにアクセスした場合、リーダに提供されるアクセスコード（最初の順番のタグ１００ａがリーダ１０２に提供することになる）は正しくないコードであり、それにより誤ったコード、すなわち次の順番のタグ１００であるタグ１００ｈへのアクセスを許可しないコードをタグ１００ｇに出力させる。
好ましくは、たとえば、このシナリオではタグ１００ｇが出力するコードは、順番の中のいずれのタグ１００へのアクセスも許可しないことになる。
【００４４】
第２の実施形態では、ユーザが正しくないアクセスコードを入力した場合、リーダ１０２はこの正しくないアクセスコードを最初の順番のタグ１００ａに送信し、最初のタグは、すでに述べた理由により２番目のタグ用の有効なアクセスコードを提供する。
【００４５】
２番目の順番のタグが読み取られると、順番が終わったか否かが判断される（ステップ３１４）。
終わっていない場合、ステップ３０８〜ステップ３１４が順番中の残りの各タグ１００毎に繰り返される。
順番が終わったと判断される場合、３つのうちの１つを行うことができる。
【００４６】
すべての注釈データが最後の順番のタグに記憶されている一実施形態では、リーダ１０２は、最後のタグに近接すると、最後のタグに給電し、正しいアクセスコードを提供すると、最後のタグ内のプロセッサは注釈データをメモリＭからリーダに出力し、プロセスは終了する。
【００４７】
別の実施形態では、注釈データは断片化されて複数のメモリタグ１００に記憶される。
リーダ１０２が、情報が記憶されている各タグ１００にアクセスするとき、すなわち、正しいアクセスコードを提供する場合、記憶されているデータが、次の順番のタグ用の任意のアクセスコードと共にリーダに出力される。
したがって、最後のタグが読み取られると、プロセスは終了する。
明らかに、最初の順番のタグ１００ａは常に有効な出力を提供し、最初のタグ１００ａにはリーダをかざしたときに常にアクセス可能であるため、このタグ１００には注釈データを記憶しないことが好ましい。
しかし、特定の状況においては、これは望ましい場合もある。
【００４８】
ここでも注釈データが断片化されて複数のタグ１００に記憶されるさらに別の実施形態では、最後の順番のタグ１００は、正しいアクセスコードが提供された場合、リーダにマスタアクセスコードを提供する。
これは、５秒等の短時間でオブジェクト上のすべてのメモリタグにアクセスできるようにする。
その後、リーダ１０２を図２ａに示すタグ等、すべてのタグにかざし、それによってタグに給電し、各タグ１００内のプロセッサによってそのように認識されるマスタコードを提供する。
その後、プロセッサＰ１は記憶されているデータを出力する。
この実施形態は、リーダ１０２の起動が保護されない場合、および／または、リーダ１０２を容易に利用可能な場合に、特に有用である。
【００４９】
この実施形態を機能させることができるようにするために、各タグ１００は、受信したマスタコードと比較する有効なコードを含むマスタコードフィールドも含む。
そのフィールド内の値が受信したマスタコードと一致する場合、データが出力される。
さらに、マスタアクセスコードの、リーダに提供された時間からの有効期間を２つの方法で制御することができる。
第１に、時間切れ機能をリーダに提供して、受信したコードが予め定められた時間中だけ有効であるようにすることができる。
これは、複数のリーダ／システムクロックサイクルが経過するとリーダ内のマスタアクセスコードを自動的に禁止または削除することによって実現することができる。
第２に、マスタコードを与える各メモリタグを、マスタコードの受信が、そのメモリタグがアクセス順番中にリーダによってアクセスされてから限定された期間内だけ有効であるように構成することができる。
マスタコードがその期間内に提供される場合にアクセスは許可される。
しかし、マスタコードがその期間外に提供される場合、アクセスは拒絶される。
たとえば、正しくない、たとえばランダムなコードが、マスタアクセスコードの受信に応答して提供される。
【００５０】
上記説明から、オブジェクト２００上のタグ１００に割り当てられた順番を辿ることで、上述したように次の順番のタグにアクセスし、最終的にタグ１００に記憶されている情報にアクセスできるようにする正しいコードがリーダに提供されることは明らかである。
しかし、順番に正しく従わない場合、たとえば図２ａでは、タグ１００ａの後にタグ１００ｇに渡った場合、タグ１００によって提供されるコードはタグ１００ｇにとって正しくないコードであり、したがってタグ１００ｇは、次の順番のタグにアクセスしないコードを出力する。
これは、順番全体に波及する。
すなわち、１回の誤りにより、いくつかまたはすべてのデータへのアクセスが阻止されることになる。
したがって、順番が分からない場合、または順番に従わない場合、記憶されている情報へのアクセスは限定されるか完全に阻止される。
【００５１】
理解されるように、上記パターン／順番エンコードは、ユーザの位置認識を利用することで電子注釈を有するオブジェクトにアクセスセキュリティを提供する。
ユーザは、注釈にアクセスするために物理的な移動パターンを覚えなければならないが、これは人によっては非常に容易なことである。
【００５２】
本発明のパターン／順番エンコードは、最初の順番のタグ１００ａにアクセスして読み取るためのアクセスコードをリーダ１０２に提供する等のさらなるセキュリティ対策と共に用いることができることを上で考察した。
このシナリオでは、ｎ個のタグを使用してのメモリタグパターン／順番エンコードの提供により、さらなる範囲ｎ！が提供される。
したがって、これら２つの符号化メカニズムの組み合わせにより、注釈付きデータのセキュリティは大幅に向上する。
別法として、所望水準のセキュリティを維持しながら、たとえば、長さを短縮したアクセスコードを認める。
アクセスコードの短縮または簡易化により犠牲になる符号化範囲は、上記方式を用いて補償することができる。
【００５３】
本発明により実現可能なセキュリティの水準は、これより図４ａおよび図４ｂを参照して説明するように向上させることができる。
図４ａに、図２ａおよび図２ｂに示すが、複数の追加のメモリタグ２０４が導入されている文書２００を示す。
これらメモリタグ２０４は上述したように動作するが、アクセス符号化順番の一部を成さず、ダミータグである。
アクセス順番中にリーダがこれらダミータグの１つに十分に近接する場合、上述したようにダミータグは給電され、リーダに偽のコード、たとえばランダムコードを返す。
このコードはその順番の一部ではないため、このコードを受信するとアクセス順番が中断される。
このコードを次の順番のタグ１００に提供しても、そのタグ１００へのアクセスは許可されない。
こうして順番が中断され、アクセスは拒絶されることになる。
係るダミータグ２０４は、説明した方法で注釈付けされているオブジェクトのどこにでも配置することができる。
しかし、考察するすべてのタグと同様に、リーダ１０２がタグに給電し、タグと対話する近接ゾーン（図２ａの２０２）が重複しないことが重要である。
【００５４】
図４ｂに、リーダ１０２を文書２００上に存在するメモリタグ１００の近接させる異なる順番を示す。
この順番は文書の左上角にあるタグ１００ｒから始まり、繋がった矢印で示すようにタグ１００ｓ、１００ｔ、１００ｕ、１００ｖ、１００ｗ、１００ｘ、１００ｙ、再び１００ｖ、そして１００ｚに渡る。
アクセス順番中にメモリタグ１００への再アクセスを許すことにより、符号化水準を（ｒｎ）！だけ向上させることができる。
ただし、ｎは符号化順番中のメモリタグ１００の数であり、ｒは行われる再アクセスの数である。
【００５５】
メモリタグ１００への再アクセスを許すには、状態の概念を含むようにタグプロトコルを更新する必要がある。
各タグは、プロセッサＰ１およびメモリＭを備えることから実質的にミニチュアコンピュータである。
したがって、各タグに対して読み書きを行うことができる。
状態の概念は、以下のようにプロトコルに追加することができる。
リーダは、メモリタグ１００にアクセスし、そのタグ１００にアクセスコードを提供するときに、リーダシステムプロセッサクロック信号も送信する。
このクロック信号はタグ１００に記憶され、したがってタグは、アクセスされた時刻を知ることになる。
アクセス順番全体を知り、したがって自己が順番内のどこにあるかを知るように各タグ１００をプログラムすることにより、プロセッサＰ１はいつアクセスされたかについての知識を利用して、出力に適したコードを判断することができる。
たとえば、図４ｂの順番では、タグ１００ｖに２度アクセスする。
タグ１００ｖは、順番全体が分かっているため、２度アクセスされることを知っている。
したがって、リーダがタグ１００ｖにアクセスするときに、最近アクセスされていない場合には、次の順番のタグはタグｗであることが分かり、アクセス時刻「ａ」を記憶する。
再アクセスされたとき、タグ１００ｖは時刻「ａ」にアクセスされており、次の順番のタグはタグ１００ｚであることが分かる。
したがって、適切な出力を提供することができる。
これは、図示の順番に正しく従い、したがって両方の場合で正しいアクセスコードがタグ１００ｖに提供されるものと仮定している。
これが当てはまらない場合、誤ったコードが出力されることになる。
勿論、タグ１００ｖを再アクセスする場合、または２回のアクセスの時間間隔が所定のしきい値を超える場合、誤ったコードが出力されることになる。
【００５６】
本発明は、価値の高い情報を物理的なサイト間で受け渡す、または公開キー暗号化が法律で禁止されている場合に特に有用である。
電子的に注釈付けられた文書の例を続けると、以下が例証である。
すなわち、患者の医療履歴が電子的に注釈付けられた用紙フォーマット内の氏名、住所、年齢等の現在の患者情報、クライアントのアカウント情報が電子的に注釈付けられる用紙書式でのクライアントの詳細、プロジェクトに関連する企業の戦略が電子的に注釈付けられた用紙書式での企業プロジェクトの概観。
係る情報はすべて、取り扱いに慎重さが求められる性質のものであり、無許可／望ましくない人からのアクセスから保護する必要がある。
勿論、他の多くの例が存在する。
【００５７】
以下は、本発明の手短な例である。
図５に示す患者の詳細カードが、メモリタグ配置装置およびタグ読み書きモジュールも備えたプリント装置を使用してプリントされる。
明らかなように、カード５００は、患者のテキスト詳細５０２、および隠された詳細として示す複数のメモリタグ５０４を備える。
複数のダミータグ５０６も存在する。
カードに氏名のある患者の完全な医療履歴はメモリタグ５０４ｄに記憶され、カードをプリントするプリンタ内の書き込み装置によって書き込まれる。
各タグ５０４ａ〜５０４ｄは、表１に示す適切な値を含む（適切な場合には値を含まない）呼び掛けおよび応答フィールドをそれぞれのメモリに記憶している。
【００５８】
【表１】
2006107496.tif 000003
【００５９】
さらに、各ダミーメモリタグ５０６ａ、５０６ｂは、リーダが給電に十分なほど近接したときは常に出力されるランダム応答を有し、この例を表２に示す。
【００６０】
【表２】
2006107496.tif 000004
【００６１】
この情報はすべて、上述したようにタグに書き込まれる。
各タグの呼び掛けフィールドには、そのタグの正しいアクセスコードが記される。
このコードをリーダから受信した場合のみ、次の順番のタグ用の正しいアクセスコード（応答フィールドに記憶されている）が出力される。
医療記録へのアクセスを得るためにリーダをタグと対話させなければならない順序はこれらコードによって決定付けられ、この例では、理解されるように５０４ａ、５０４ｂ、５０４ｃ、および５０４ｄである。
【００６２】
タグ５０４ｄに記憶されている医療情報にアクセスするために、ユーザはリーダを最初のタグ５０４ａに近接させ、そうして最初のタグ５０４ａが給電される。
ユーザはコード「１２３４」をリーダに入力し、これが最初のタグ５０４ａに渡される。
最初タグはこの呼び掛けを呼び掛けフィールド内のデータと比較する。
一致する場合、コード「２３４５」がリーダに出力される。
一致しない場合、誤ったコードまたはランダムコードが出力される。
この例ではコードは一致し、ユーザは次にリーダを５０４ｂに近接させ、リーダ１０２はタグ５０４ｂにコード「２３４５」を提供し、タグは「３４５６」を出力する。
この手順がタグ５０４ｃ（入力３４５６、出力４５６７）において繰り返され、リーダがタグ５０４ｄに近接したときに、コード４５６７が入力され、患者の医療履歴が出力される。
この順番に従う場合のみ、正しいアクセスコードが順番中のすべてのタグに提供され、それにより最後のタグ上の患者の医療履歴データへのアクセスが認められる。
したがって、ユーザは、アクセスを可能にするには、最初の順番のタグのアクセスコードの他に記録カード上のタグの順番および位置を知っていなければならない。
【００６３】
同様に、ユーザはダミータグを避けなければならない。
リーダは、たとえば、タグ５０４ｃから５０４ｄに移動する間にタグ５０６ｂの近接になった場合にコード「３３５２」を受け取り、このコードがタグ５０４ｄに供給されることになる。
その場合、タグ５０４ｄは患者の医療履歴ではなく乱数を出力する。
【００６４】
理解されるように、本発明を用いて、物理的なオブジェクトに注釈付けられた機密電子データを、無許可の人物がアクセス不可能なようにセキュア化することができる。
これにより、機密電子データが注釈付けられた物理的なオブジェクトを場所間で安心して移すことができるとともに、オブジェクトをあまり安全ではない条件で収納することが可能であり、これらは両方とも明らかな利点である。
【００６５】
勿論、本発明について例としてのみ上述し、詳細の変更を本発明の範囲内で行い得ることが理解されよう。
特に、印字媒体は、用紙、カードストック、アセテートシート等、プリントを行うことができる任意の形の媒体を含む。
さらに、ＲＦＩＤメモリタグについて考察したが、オブジェクトに正確にパターン配置することができ、リーダが近接にあるときにのみその場所で読み取ることができる任意の形のメモリタグまたは等価の素子を利用することが可能である。
【図面の簡単な説明】
【００６６】
【図１】本発明において利用することができるメモリタグの概略図である。
【図２ａ】本発明による複数のメモリタグが規定のパターンに配置される印字媒体シートの図である。
【図２ｂ】図２ａのメモリタグに割り当てられる符号化系列の図である。
【図３】オブジェクトに注釈付ける電子データにアクセスするために行われるステップを示す流れ図である。
【図４ａ】ダミーメモリタグも存在する、図２ｂに示す図である。
【図４ｂ】繰り返しアクセスがサポートされる複数のメモリタグに割り当てられた符号化系列の図である。
【図５】本発明の一実施形態により注釈付けられ、セキュア化された医療記録カードの図である。
【符号の説明】
【００６７】
Ｌ１，Ｌ１・・・アンテナコイル，
Ｃ１，Ｃ２・・・コンデンサ，
Ｐ２・・・処理・信号発生回路，
１００・・・メモリタグ，
１０２・・・リーダ，
２００・・・印字媒体シート，
【図１】
2006107496.tif 000005
【図２ａ】
2006107496.tif 000006
【図２ｂ】
2006107496.tif 000007
【図３】
2006107496.tif 000008
【図４ａ】
2006107496.tif 000009
【図４ｂ】
2006107496.tif 000010
【図５】
2006107496.tif 000011